(57)【要約】【課題】  短縮発呼を希望する電話番号の登録及び短縮発呼が、容易にかつ簡単にできる電話機における短縮発呼装置を提供すること。【解決手段】  操作釦であるテンキー釦６１に電話番号を割り当てて保存する電話番号割り当て手段と、短縮発呼を選択させる開始釦６２と、その開始釦６２とテンキー釦６１との押動操作に基づいて、所望した電話番号を電話番号割り当て手段から呼び出し発呼させる発呼手段とを有して構成する。【選択図】        図２
2006311434.tif 000002
【特許請求の範囲】
【請求項１】
電話機における短縮発呼装置であって、
操作釦であるテンキー釦に電話番号を割り当てて保存する電話番号割り当て手段と、
短縮発呼を選択させる短縮発呼操作釦と、
前記短縮発呼操作釦と、前記テンキー釦との押動操作に基づいて、所望した電話番号を前記電話番号割り当て手段から呼び出し発呼させる発呼手段と
を有していることを特徴とする短縮発呼装置。
【請求項２】
前記短縮発呼操作釦または前記テンキー釦の押動操作を起点としてタイムカウントさせるカウンタ手段と、
前記カウンタ手段によるタイムカウント開始後、起点とさせた釦と他方の釦である前記短縮発呼操作釦または前記テンキー釦の押動操作が所定時間内にされない場合に短縮発呼をキャンセルさせる発呼キャンセル手段と
を有していることを特徴とする請求項１記載の短縮発呼装置。
【請求項３】
前記電話番号割り当て手段は、当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示させて前記テンキー釦との割り当てを入力させる画像表示入力手段を有していることを特徴とする請求項１または２記載の短縮発呼装置。
【請求項４】
電話機における短縮発呼方法であって、
操作釦であるテンキー釦に電話番号を割り当てて保存し、当該電話機に設けた短縮発呼操作釦と前記テンキー釦との押動操作に基づいて、所望した前記電話番号を呼び出して発呼することを特徴とする短縮発呼方法。
【請求項５】
前記短縮発呼操作釦または前記テンキー釦の押動操作を起点としてタイムカウントし、起点とした釦と他方の釦である前記短縮発呼操作釦または前記テンキー釦の押動操作を所定時間内にしないと判断した場合に、短縮発呼をキャンセルすることを特徴とする請求項４記載の短縮発呼装方法。
【請求項６】
当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示して前記テンキー釦との割り当てを入力することを特徴とする請求４または５記載の短縮発呼方法。
【請求項７】
電話機における短縮発呼を制御する短縮発呼制御プログラムであって、
操作釦であるテンキー釦に電話番号を割り当てて保存する電話番号割り当て手段と、
当該電話機に設けられ短縮発呼を選択させる短縮発呼操作釦と、前記テンキー釦との押動操作に基づいて、所望した電話番号を前記電話番号割り当て手段から呼び出し発呼させる発呼手段とを有してなり、
前記電話番号割り当て手段と、前記発呼手段とを、当該電話機が実行可能な短縮発呼制プログラム。
【請求項８】
前記短縮発呼操作釦または前記テンキー釦の押動操作を起点としてタイムカウントさせるカウンタ手段と、
前記カウンタ手段によるタイムカウント開始後、起点とさせた釦と他方の釦である前記短縮発呼操作釦または前記テンキー釦の押動操作が所定時間内にされない場合に短縮発呼をキャンセルさせる発呼キャンセル手段とを有してなり、
前記カウンタ手段と、前記発呼キャンセル手段とを、当該電話機が実行可能な請求項７記載の短縮発呼制御プログラム。
【請求項９】
前記電話番号割り当て手段は、当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示させて前記テンキー釦との割り当てを入力させる画像表示入力手段を有していることを特徴とする請求項８または９記載の短縮発呼制御プログラム。
【発明の詳細な説明】
【技術分野】
【０００１】
本発明は、電話機における短縮発呼装置、短縮発呼方法、短縮発呼制御プログラムに関する。
【背景技術】
【０００２】
例えば携帯電話機は、発呼の際における電話番号の獲得手段として、テンキー釦を用いて直接入力する方法、電話帳に登録した電話番号を検索し獲得する方法、リダイヤル機能より獲得する方法がある。
【０００３】
電話番号を直接入力により獲得する場合は、当然のことながらテンキー釦を十数回入力している。また、ユーザーが電話帳に登録した電話番号を検索し獲得する場合と、リダイヤル機能から獲得する場合は、テンキー釦を含めた操作部キーの操作を複数回必要としている。
【０００４】
このように、発呼の際における電話番号の獲得操作が煩雑であるため、そこで、だれにでも発信操作が簡単に行え、同時に複数の相手先電話番号から選択して発信することを可能にした携帯電話機の発信システムが提案されている。
【０００５】
この携帯電話機の発信システムは、メモリ番号をパラメータとして、電話番号を記憶するメモリを有する携帯電話機の発信システムに、メモリダイヤルに登録した電話番号のうち最大１０件を選択して記憶する選択用メモリダイヤルと、入力数キーを１回操作するだけで選択用メモリダイヤルに記憶されている電話番号を発信することを可能にする簡単操作部とを備えて構成されている。
【０００６】
上記した携帯電話機の発信システムによれば、音声発呼を行う時に最大１２回のキー操作を要し、メモリダイヤル発信においても、数回のキー操作を要する煩雑さを解決するために、電話帳に登録した最大１０件分の電話番号に対し、２回のキー操作押下で短縮発呼を実施している（例えば特許文献１参照）。
【０００７】
【特許文献１】特開２００２−１６４９９５号公報（第１頁、図１）
【発明の開示】
【発明が解決しようとする課題】
【０００８】
しかしながら、この携帯電話機の発信システムで提案されている短縮発呼では、一定範囲内の電話帳の管理番号に登録された番号に対してのみ有効であり、テンキー釦と電話番号の割り当てを変更する場合は、一定範囲内の電話帳管理番号に再登録しなければならないため、手間がかかり面倒であった。
【０００９】
また、短縮発呼キーとして、テンキー釦と電話帳の管理番号について関連付けを行なっているため、１つの管理番号に複数の電話番号が登録してある場合は、主の電話番号以外をテンキー釦と関連付けできないことも考えられる。
【００１０】
近年携帯電話は多機能化に伴い、一層の操作性の向上が求められている。音声発呼においても、電話帳登録件数の増加に伴い検索することが手間取ってしまうため、より一層、操作性の向上が求められている。
【００１１】
そこで本発明は、このような状況に鑑みてなされたものであり、上記問題点を解決できる電話機における短縮発呼装置、短縮発呼方法、短縮発呼制御プログラムを提供することを目的とする。
【課題を解決するための手段】
【００１２】
上記技術課題を達成するために、本発明にかかる短縮発呼装置、短縮発呼方法、短縮発呼制御プログラムは、下記の技術的手段を講じた。
すなわち、請求項１にかかる短縮発呼装置は、電話機における短縮発呼装置であって、操作釦であるテンキー釦に電話番号を割り当てて保存する電話番号割り当て手段と、短縮発呼を選択させる短縮発呼操作釦と、前記短縮発呼操作釦と、前記テンキー釦との押動操作に基づいて、所望した電話番号を前記電話番号割り当て手段から呼び出し発呼させる発呼手段とを有していることを特徴とする。
請求項２にかかる短縮発呼装置は、請求項１において、前記短縮発呼操作釦または前記テンキー釦の押動操作を起点としてタイムカウントさせるカウンタ手段と、前記カウンタ手段によるタイムカウント開始後、起点とさせた釦と他方の釦である前記短縮発呼操作釦または前記テンキー釦の押動操作が所定時間内にされない場合に短縮発呼をキャンセルさせる発呼キャンセル手段とを有していることを特徴とする。
請求項３にかかる短縮発呼装置は、請求項１または２において、前記電話番号割り当て手段は、当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示させて前記テンキー釦との割り当てを入力させる画像表示入力手段を有していることを特徴とする。
請求項４にかかる短縮発呼方法は、電話機における短縮発呼方法であって、操作釦であるテンキー釦に電話番号を割り当てて保存し、当該電話機に設けた短縮発呼操作釦と前記テンキー釦との押動操作に基づいて、所望した前記電話番号を呼び出して発呼することを特徴とする。
請求項５にかかる短縮発呼方法は、請求項４において、前記短縮発呼操作釦または前記テンキー釦の押動操作を起点としてタイムカウントし、起点とした釦と他方の釦である前記短縮発呼操作釦または前記テンキー釦の押動操作を所定時間内にしないと判断した場合に、短縮発呼をキャンセルすることを特徴とする。
請求項６にかかる短縮発呼方法は、請求項４または５において、当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示して前記テンキー釦との割り当てを入力することを特徴とする。
請求項７にかかる短縮発呼制プログラムは、電話機における短縮発呼を制御する短縮発呼制御プログラムであって、操作釦であるテンキー釦に電話番号を割り当てて保存する電話番号割り当て手段と、当該電話機に設けられ短縮発呼を選択させる短縮発呼操作釦と、前記テンキー釦との押動操作に基づいて、所望した電話番号を前記電話番号割り当て手段から呼び出し発呼させる発呼手段とを有してなり、前記電話番号割り当て手段と、前記発呼手段とを、当該電話機が実行可能に構成されていることを特徴とする。
請求項８にかかる短縮発呼制プログラムは、請求項７において、前記短縮発呼操作釦または前記テンキー釦の押動操作を起点としてタイムカウントさせるカウンタ手段と、前記カウンタ手段によるタイムカウント開始後、起点とさせた釦と他方の釦である前記短縮発呼操作釦または前記テンキー釦の押動操作が所定時間内にされない場合に短縮発呼をキャンセルさせる発呼キャンセル手段とを有してなり、前記カウンタ手段と、前記発呼キャンセル手段とを、当該電話機が実行可能に構成されていることを特徴とする。
請求項９にかかる短縮発呼制プログラムは、請求項８または９において、前記電話番号割り当て手段は、当該電話機に備えた電話帳機能に登録された電話番号、リダイヤル機能に登録された電話番号、前記テンキー釦の直接入力による電話番号等、当該電話機に入力された電話番号を、当該電話機に備えたＬＣＤ表示部に表示させて前記テンキー釦との割り当てを入力させる画像表示入力手段を有していることを特徴とする。
【発明の効果】
【００１３】
本発明によれば、操作釦であるテンキー釦に電話番号を割り当てて保存する電話番号割り当て手段と、短縮発呼を選択させる短縮発呼操作釦と、前記短縮発呼操作釦と前記テンキー釦との押動操作に基づいて所望した電話番号を前記電話番号割り当て手段から呼び出し発呼させる発呼手段とを有して構成したから、ユーザーが所望した電話番号と割り当てたテンキー釦の押動操作１回と、短縮発呼操作釦の押動操作１回の、計２回の操作で短縮発呼を行うことができる。
【００１４】
また、電話帳の管理番号ではなく電話番号とテンキー釦を短縮発呼キーとして割り当てを行なったため、１つの管理番号に複数の電話番号が登録されていても、電話番号の割り当てを行なうことができる。
【００１５】
このように本発明による短縮発呼装置、短縮発呼方法、短縮発呼制御プログラムは、頻繁に使用する電話番号を、テンキー釦と対応付けて予め電話機内に保存しておくことで、極めて簡単に発信操作を行うことができる。
【発明を実施するための最良の形態】
【００１６】
次に、本発明にかかる短縮発呼装置の実施の形態を、図面を参照しながら説明する。なお、本発明にかかる短縮発呼装置は、デジタルカメラ機能を備えた携帯電話機に適用したものを例示している。
【００１７】
本実施の形態にかかる携帯電話機は、その基本的な構成として、図１に示す通り、撮像部であるカメラ２０と、ＬＣＤ表示部３０と、制御部４０と、無線部５０と、操作部６０と、マイク７０と、充電池８０と、スピーカ９０とを備えて構成される。なお、短縮発呼を除いた各機能は周知構成のもので、以下、本発明の要部である短縮発呼装置を中心に説明する。
【００１８】
カメラ部２０は、ＣＣＤ撮像素子等を備え、カメラ部２０と接続された制御部４０で制御されると共に、ユーザーによる操作部６０の操作によって、画像の取り込みができるようになっている。
【００１９】
ＬＣＤ表示部３０は、制御部４０に接続され、この制御部４０の制御により各種の表示が行われる液晶画面であり、本発明の一要部である短縮発呼の設定や短縮発呼の表示確認なども、後述する画像表示入力手段によって、このＬＣＤ表示部３０に表示されるようになっている。
【００２０】
制御部４０は、操作部６０より入力されたユーザー操作を検出し、ユーザー操作に基づいた表示処理等を行うように構成されており、メモリ４１と、周知構造のＣＰＵ４２と、タイマ４３（カウンタ手段）と、制御プログラムとを備えて構成される。
【００２１】
メモリ４１内には、管理番号順に関連付けられた、電話番号、氏名、住所、メールアドレス等からなる電話帳テーブルや、図１０に示すような、テンキー釦６１と電話番号との割り当てテーブル（以下、短縮発呼テーブルと呼称する）を有している。
【００２２】
この短縮発呼テーブルは、短縮発呼時のみ適用され、メモリ４１内に格納された電話帳テーブルとは別に構成される。なお、短縮発呼テーブルにおけるテンキー釦６１と電話番号との関連付けは、固定で不変的なものではなく、ユーザー操作により適宜変更が可能になっている。
【００２３】
タイマ４３は、制御部４０が後述する開始釦６２の入力を認識するとカウントを開始し、制御部４０がテンキー釦６１入力を認識するとカウントを停止するようになっている。また、このタイマ４３は、タイマカウント開始後、制御部４０が所定時間内にテンキー釦６１の入力を認識しない場合、タイムアウトするようになっている。
【００２４】
無線部５０は、制御部４０の制御により、アンテナ５１を介して受信した信号を復調したり、あるいは送信時、信号を変調してアンテナ５１を介して送信するように構成されており、通話時、マイク７０から入力したアナログ音声を制御部４０にてデジタル変換し、無線部５０、アンテナ５１を介して送信するようになっている。アンテナ５１、無線部５０を介して受信した音声データは、制御部４０にてアナログ変換し、スピーカ９０より出力される。
【００２５】
操作部６０は、図２に示すように、テンキー釦６１と、開始釦（短縮発呼操作釦）６２、電話帳釦６３、確定釦６４、メニュー釦６５、選択釦６６、リダイヤル釦６７等で構成されている。電話番号入力と同等な制御を行うテンキー釦６１は、図２に示すように、数字釦、＊釦、＃釦で構成されている。なお、音声発呼は、開始釦６２及びテンキー釦６１が使用される。
【００２６】
マイク７０は、制御部４０と接続され、通話時、アナログ音声を入力して制御部４０に送られるようになっている。
充電池８０は、携帯電話機を駆動させるパワーソースであり、制御部４０に接続されている。
スピーカー９０は、アンテナ５１、無線部５０を介して受信した音声データを、制御部４０にてアナログ変換して音声として出力されるようになっている。
【００２７】
このように本実施の形態にかかる携帯電話機は、従来から携帯電話機に備えられている各構成部材に、短縮発呼テーブルと、制御プログラムと、開始釦（短縮発呼操作釦）６２とを備えて構成されており、ユーザーが操作部６０で所定の操作をすることによって、制御プログラムが所定の制御を行い、短縮発呼を行う電話番号の登録設定、短縮発呼が可能になっている。
【００２８】
次に、以上のように構成された本実施の形態にかかる携帯電話機における、短縮発呼を行う電話番号の登録設定手順、短縮発呼手順について、順を追って説明する。
【００２９】
図１０に短縮発呼テーブルの１例を示す。なお、上記したように、この短縮発呼テーブルは、各テンキー釦６１と電話したい相手の電話番号を割り当てたテーブルで、メモリ４１に格納されている。この短縮発呼テーブルは、任意のテンキー釦６１に空きがある時は空きの中から、空きがない場合は、上書きすることにより設定される。
【００３０】
対象となる電話番号は、予め電話帳の管理番号に登録した全データである。なお、管理番号毎に、電話番号、メールアドレス、住所等を含む個人情報等を保存するが、本発明では、電話番号以外の個人情報は重要ではないため、説明は省略する。
【００３１】
まず、短縮発呼を行う電話番号の登録設定手順について説明する。
電話番号を登録するにあたり、電話番号を獲得する手段として、電話番号をテンキー釦６１より直接入力する方法、予め電話帳に登録された電話番号を検索して電話番号を獲得する方法、リダイヤル機能より電話番号を獲得する方法がある。
【００３２】
このうち、まず、電話帳に登録された電話番号の中から短縮発呼を行う電話番号の登録設定を行う手順について例示する。
【００３３】
まず、図１０のテンキー釦６１と電話番号の短縮発呼テーブルへの設定について図８を用いて説明する。ここでは、電話帳の管理番号に登録した全電話番号を対象とする（Ｓ１０１）。
【００３４】
ユーザーは、図２に示す電話帳釦６３を押下することにより、電話帳機能を選択する（Ｓ１０２）。選択は、図２に示す選択釦６６で行い、決定は図２に示す確定釦６４により行う。以降の文中に記す選択、決定においても同様とする。
【００３５】
ここで、電話帳機能とは相手の名前や電話番号を含めた個人データを保存する機能であり、１つの管理番号に対し１個人データを保存する機能である。Ｓ１０２後、制御部４０は短縮発呼設定を行なう画面（図３参照）をＬＣＤ表示部３０に表示する。この表示画面において、ユーザーは短縮発呼設定（電話番号割り当て手段）を選択する（Ｓ１０３）。
【００３６】
短縮発呼設定（電話番号割り当て手段）とは、ユーザーが短縮発呼させたい任意の電話番号と特定のテンキー釦６１を割り当て、その設定を保存する機能である。この短縮発呼設定は、制御プログラム内に組み込まれている。
【００３７】
Ｓ１０３設定後、ユーザーは、電話番号を検索する画面（図４参照）に示す任意の検索手段にて獲得したい電話番号を検索（Ｓ１０４）する。Ｓ１０４後、電話番号を表示する画面（図５参照）が制御部４０によってＬＣＤ表示部３０へ表示され、ユーザーは電話番号を選択する（Ｓ１０５）。
【００３８】
Ｓ１０５後、ユーザーが操作部６０の確定釦６４を押下することにより、ＬＣＤ表示部３０には制御部４０により電話番号割り当て画面（図６参照）が表示される（Ｓ１０６）。Ｓ１０６後、ユーザーが確定釦６４押下により電話番号割り当て画面（図６参照）の中から割り当てたいテンキー釦６１を選択すると（Ｓ１０７）、ＬＣＤ表示部３０は設定保存を確認する画面（図７参照）に遷移する（Ｓ１０８）。
【００３９】
図７にて、ユーザーがＹＥＳを選択するとテンキー釦６１と電話番号は割り当てられ、制御部４０は設定した内容をメモリ４１に格納する（Ｓ１０９）。Ｓ１０９後、制御部４０はＬＣＤ表示部３０を待ち受け画面に遷移する（Ｓ１１０）。
【００４０】
Ｓ１０８にて、ユーザーがＮＯを選択した場合、制御部４０はＬＣＤ表示部３０をＳ１０３に遷移する（Ｓ２０１）。
以上が電話番号とテンキー釦６１を割り当てる手順である。
【００４１】
次に短縮発呼を行う手順について図９を用いて説明する。
まず、待受け画面にて、ユーザーが操作部６０の開始釦６２を押下すると、制御部４０は、開始釦６２入力による割込みを認識する（Ｓ３０１）。割込みを認識した制御部４０は、タイマ４３を起動しタイマカウントを開始する（Ｓ３０２）。
【００４２】
Ｓ３０２後、制御部４０はタイマカウント内にテンキー釦６１入力による割込みが発生したかを判断（Ｓ３０３）する。テンキー釦６１入力による割込みがタイマカウント内であれば、制御部４０はタイマ４３を停止する（Ｓ３０４）。
【００４３】
Ｓ３０４後、制御部４０は短縮発呼処理（発呼手段）を行う（Ｓ３０５）。同様に開始釦６２とテンキー釦６１入力の手順が前後しても、短縮発呼を行う。なおユーザーがテンキー釦６１入力を先に実施した場合、タイマ４３は起動しない。なお、短縮発呼処理は制御プログラムに組み込まれた発呼手段による。
【００４４】
テンキー釦６１入力がタイマカウントを経過した場合、制御部４０は短縮発呼を行なわず（発呼キャンセル手段）、ＬＣＤ表示部３０を待受け画面に遷移する（Ｓ４０１）。なお、短縮発呼の処理中止は、制御プログラムに組み込まれた発呼キャンセル手段による。
【００４５】
以上の処理手順を踏むことにより、ユーザーは電話帳に登録した任意の管理番号（全電話番号）に対し、テンキー釦１回と開始キー１回の計２回の操作で短縮発呼を行うことができる。
【００４６】
また、本実施の形態にかかる携帯電話機は、短縮発呼テーブルと電話帳テーブルとを独立したメモリ領域に保存しているため、短縮発呼に関する情報を電話帳に再登録する必要がない。
【００４７】
また、本実施の形態にかかる携帯電話機は、電話帳テーブルにおける管理番号ではなく、電話番号とテンキー釦６１とを直接割り当てている。したがって、電話帳において、１つの管理番号に複数の電話番号が登録されていても、別テーブルであることから、面倒な手間が生じるこはない。また、本発明は既存の回路構成で実現できるため、製品のコスト面への影響はない。
【００４８】
（他の態様）
次に、既存機能として付加されているリダイヤル機能より電話番号を獲得して、短縮発呼を行う電話番号の登録設定手順について説明する。
【００４９】
本態様を実現するためには、図１４に示すリダイヤルテーブルをメモリ４１に用意し、過去に音声発呼した日付と電話番号の一覧を保存する。図１４は日付が古い電話番号順に格納される。
【００５０】
また、メモリ４１には、図１０のテンキー釦６１に対する電話番号テーブルを図１４のリダイヤルテーブルとは別に用意する。
【００５１】
テンキー釦６１と電話番号の割り当て、及び、基本的な構成は、上記した例と同じであるため説明を省略する。本動作の説明は、図１１を用いて行うが、動作手順は前述したものとほぼ同じであるため、差異がある箇所のみについて説明する。なお、前述した例と本態様との差異は、図８の（Ｓ１０１）から（Ｓ１０９）と、図１１の（Ｓ５０１）から（Ｓ５０８）である。
【００５２】
ユーザーは、図２のリダイヤル釦６７を押下すると、図１２に示すリダイヤル履歴を表示する（Ｓ５０１）。Ｓ５０１後、ユーザーが設定したい電話番号を選択し、メニューキーＳ５を押下すると、制御部４０は図１３の電話番号を電話帳に設定、もしくは短縮発呼に設定の画面をＬＣＤ表示部３０に表示する（Ｓ５０２）。
【００５３】
Ｓ５０２後、図１３に表示された短縮発呼設定を決定する（Ｓ５０３）。Ｓ５０３後、制御部４０は、短縮発呼設定の画面である図６をＬＣＤ表示部３０へ表示し（Ｓ５０４）、テンキー釦６１と割り当てる電話番号を選択する（Ｓ５０５）。
【００５４】
Ｓ５０５後、確定釦６４を押下することにより任意のテンキー釦に空きがあれば空きの中から、空きがなければ上書きすることで、割り当てを行なう（Ｓ５０６）。Ｓ５０６後、制御部４０は設定保存を確認する画面である図７をＬＣＤ表示部３０へ表示する（Ｓ５０７）。
【００５５】
図７にてユーザーがＹＥＳを選択すると、制御部４０は、設定した内容をメモリ４１に有している図１０の短縮発呼テーブルに格納する（Ｓ５０８）。Ｓ５０７にてユーザーがＮＯを選択した場合、制御部４０はＬＣＤ表示部３０をＳ５０２へ画面遷移する（Ｓ６０１）。なお、短縮発呼動作は発明の実施例と同様な手順なので、説明を省略する。また、図３乃至図７、図１２、図１３を、ＬＣＤ表示部３０へ表示させているのは、制御プログラムに組み込まれた画像表示入力手段によっている。
【００５６】
以上のリダイヤル機能から電話番号を獲得して、短縮発呼を行う電話番号の登録設定を可能にすることで、さらに機能が拡張し、音声発呼と同様な制御を簡易に行う事ができる。
【００５７】
また、リダイヤルに対し、電話番号とテンキー釦６１の割り当てを行なうことにより、前述した例と同じテンキー釦１回と開始キー１回の計２回の操作による短縮発呼を行なうことができ、かつ電話帳に登録せずに短縮発呼を行なえるため、操作性が向上する。
【００５８】
また、新規デバイスの追加がなく、前述した例と同じ回路技術を用いることができるため、回路規模に影響を及すことなく実現でき、かつコスト面の負担がかからない。
【００５９】
以上、本実施の形態では、電話帳機能、リダイヤル機能から電話番号を獲得した短縮発呼設定について説明したが、ダイヤル入力の状態から同様の手順にて、簡易に短縮発呼設定を行なうことが出来ることは言うまでもない。
【００６０】
また、本発明は、携帯電話機だけでなく他の通信系モバイル端末や固定電話へ適用することが可能である。
また、上記と同様の動作をもたらす短縮発呼方法、短縮発呼制御プログラムでも良いものである。
【００６１】
また、本実施の形態では、テンキー釦１回と開始キー１回の計２回の操作による短縮発呼を行なっているが、一般的に受話器の絵記号で示されている発呼釦をさらに押動することで発呼を開始させたり、あるいは、最初にこの発呼釦を押動することで短縮モードに移行するようにしても良い。また、この場合、ＬＣＤ表示部３０に、押動されたテンキー釦とそのテンキー釦に対応づけられた電話番号を表示させてユーザーに確認を促すようにすることが好適である。
【００６２】
また、本実施の形態では、テンキー釦として、数字釦、＊釦、＃釦で構成され、その数に応じた短縮発呼テーブルを例示しているが、このものに限定されず、例えば、１０、１１、１２‥といった２桁（あるいは数桁、記号との組み合わせ）の数字に電話番号を対応
付けても良い。なお、短縮発呼という観点から、頻繁にかける電話番号が対象であるため、本実施の形態で例示した程度でも問題はないものと思われる。
【００６３】
以上、本発明である短縮発呼装置を適用した携帯電話機を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００６４】
【図１】本実施の形態にかかる携帯電話機のシステム構成図である。
【図２】操作部の正面図である。
【図３】短縮発呼の設定を示すＬＣＤ表示部の正面図である。
【図４】図３に続くＬＣＤ表示部の正面図である。
【図５】図４に続くＬＣＤ表示部の正面図である。
【図６】図５に続くＬＣＤ表示部の正面図である。
【図７】図６に続くＬＣＤ表示部の正面図である。
【図８】短縮発呼を行う電話番号の登録設定手順を示すフローチャートである。
【図９】短縮発呼手順を示すフローチャートである。
【図１０】短縮発呼テーブルを示す模式図である。
【図１１】電話番号の登録設定手順を示す他の態様のフローチャートである。
【図１２】短縮発呼の設定を示す他の態様のＬＣＤ表示部の正面図である。
【図１３】図１２に続くＬＣＤ表示部の正面図である。
【図１４】リダイヤルテーブルを示す模式図である。
【符号の説明】
【００６５】
３０  ＬＣＤ表示部
４０  制御部
６０  操作部
６１  テンキー釦
６２  開始釦（短縮発呼操作釦）
６３  電話帳釦
６４  確定釦
６５  メニュー釦
６６  選択釦
６７  リダイヤル釦
【図１】
2006311434.tif 000003
【図２】
2006311434.tif 000004
【図３】
2006311434.tif 000005
【図４】
2006311434.tif 000006
【図５】
2006311434.tif 000007
【図６】
2006311434.tif 000008
【図７】
2006311434.tif 000009
【図８】
2006311434.tif 000010
【図９】
2006311434.tif 000011
【図１０】
2006311434.tif 000012
【図１１】
2006311434.tif 000013
【図１２】
2006311434.tif 000014
【図１３】
2006311434.tif 000015
【図１４】
2006311434.tif 000016